(57)【要約】      （修正有）【課題】色度調整可能な発光ダイオードモジュールランプを提供する。【解決手段】色度調整可能な発光ダイオードモジュールランプ９は、少なくとも一組の第２モジュール２２が重複して直列接続されて構成され、第２モジュールは複数の発光ダイオードモジュールを包含し、それは第１発光ダイオードモジュール１１から第ｎ発光ダイオードモジュール１９であり、そのうち、各発光ダイオードモジュールは、複数の可視光スペクトル色度の発光ダイオードを包含し、すなわち、第１色度発光ダイオードＣ1 から第ｎ色度発光ダイオードＣnまで、循環して配列された構造で構成される。【選択図】図１０
0003185324.tif 000002
【実用新案登録請求の範囲】
【請求項１】
少なくとも一組の第２モジュールが重複して直列接続されてなる色度調整可能な発光ダイオードモジュールランプにおいて、該第２モジュールは複数の発光ダイオードモジュールを包含し、それは第１発光ダイオードモジュールから第ｎ発光ダイオードモジュールであり、各該発光ダイオードモジュールは複数の可視光スペクトル色度の発光ダイオードを包含し、循環配列の構造で構成され、該発光ダイオードは第１色度発光ダイオードＣ１、第２色度発光ダイオードＣ２、・・・、第ｎ−１色度発光ダイオードＣn-1、第ｎ色度発光ダイオードＣnを包含し、
該第１発光ダイオードモジュールの複数の発光ダイオードの色度配列は、順に、第１色度発光ダイオードＣ１、第２色度発光ダイオードＣ２、・・・、第ｎ−１色度発光ダイオードＣn-1、第ｎ色度発光ダイオードＣnとされ、該第１発光ダイオードモジュールの色度配列は、第１列：
【数１】
0003185324.tif 000017
であり、そのうち、該第２発光ダイオードモジュールの複数の発光ダイオードの色度配列は、順に、第２色度発光ダイオードＣ２、第３色度発光ダイオードＣ３、・・・、第ｎ−１色度発光ダイオードＣn-1、第ｎ色度発光ダイオードＣn、第１色度発光ダイオードＣ１とされ、該第２発光ダイオードモジュールの色度配列は、第２列：
【数２】
0003185324.tif 000018
であり、循環配列の構造は該第ｎ発光ダイオードモジュールに至り、該第ｎ発光ダイオードモジュールの複数の発光ダイオードの色度配列は、順に、第ｎ色度発光ダイオードＣn、第１色度発光ダイオードＣ１、第２色度発光ダイオードＣ２、第３色度発光ダイオードＣ３、・・・、第ｎ−１色度発光ダイオードＣn-1とされ、該第ｎ発光ダイオードモジュールの色度配列は、第ｎ列：
【数３】
0003185324.tif 000019
であり、そのうち、第２モジュールは、順に第１発光ダイオードモジュール、第２発光ダイオードモジュール、第３発光ダイオードモジュール、第ｎ発光ダイオードモジュールまでの組み合わせアレイ（ｎｘｎ）は、
【数４】
0003185324.tif 000020
であり、そのうち、第１行〜第ｎ行はそれぞれ直列に接続され、そのうち各自の総合定格作業電圧は等しく、いずれもＣ1 〜Ｃn個の色度発光ダイオードの各作業電圧の相加に等しく、電圧供給の直列モードは、各自の行を以て互いに直列接続され、そのうち、第１行中のＣ1 〜Ｃnは、直列接続された一組とされ、第２行中のＣ2 〜Ｃn-1，Ｃn，Ｃ1 は直列接続された一組とされ、第３行中のＣ3〜Ｃn，Ｃn-1は直列接続された一組とされ、第ｎ行中のＣn，Ｃ1 ，Ｃ2 ，Ｃn-2，Ｃn-1 は直列接続された一組とされることを特徴とする、色度調整可能な発光ダイオードモジュールランプ。
【請求項２】
請求項１記載の色度調整可能な発光ダイオードモジュールランプにおいて、少なくとも一組の第２モジュールは、開放端とされる該第２モジュールの入力端を有し、それは第１電圧に接合され、そのうち、終端とされる第２モジュールの出力端は接地することを特徴とする、色度調整可能な発光ダイオードモジュールランプ。
【請求項３】
請求項２記載の色度調整可能な発光ダイオードモジュールランプにおいて、該第１発光ダイオードモジュールは、該第１発光ダイオードモジュールに直列接続され、さらに順に第３発光ダイオードモジュールの列に直列接続されるとき、電力供給の総電位が同じで、それは該第１行から第ｎ行がそれぞれ直列接続され、そのうち各行の総合定格の作業電圧は同じで、いずれもＣ1 〜Ｃn個の色度発光ダイオードの各作業電圧の相加に等しいことを特徴とする、色度調整可能な発光ダイオードモジュールランプ。
【請求項４】
請求項３記載の色度調整可能な発光ダイオードモジュールランプにおいて、そのうち、ｎ個のパルス幅変調器（ＰＷＭ）を包含し、各該パルス幅変調器（ＰＷＭ）の第２端は接地し、各パルス幅変調器（ＰＷＭ）の第１端はそれぞれ終端とされる該第２モジュールの出力端に接合され、終端とされる該第２モジュールの出力端は、ｎ組の各自独立した直列出力端であることを特徴とする、色度調整可能な発光ダイオードモジュールランプ。
【請求項５】
請求項４記載の色度調整可能な発光ダイオードモジュールランプにおいて、そのうち、ｎ個の該パルス幅変調器（ＰＷＭ）の作業周期は各自独立し、作業周期の調整範囲は０％〜１００％であることを特徴とする、色度調整可能な発光ダイオードモジュールランプ。
【請求項６】
請求項５記載の色度調整可能な発光ダイオードモジュールランプにおいて、そのうち、  ｎ個のコントローラーを包含し、それはそれぞれ一端が接地し、他の一端がそれぞれ該パルス幅変調器（ＰＷＭ）の第２端に接合され、そのうち、該コントローラーは定電圧コントローラー、或いは定電流コントローラー、或いは定電圧且つ定電流コントローラーとされることを特徴とする、色度調整可能な発光ダイオードモジュールランプ。
【請求項７】
請求項６記載の色度調整可能な発光ダイオードモジュールランプにおいて、そのうち、ｎ個の該コントローラーのコントロール電流はそれぞれ独立して調整されることを特徴とする、色度調整可能な発光ダイオードモジュールランプ。
【請求項８】
請求項７記載の色度調整可能な発光ダイオードモジュールランプにおいて、そのうち、該第１発光ダイオードモジュールの該第１発光ダイオードＣ1から第ｎ発光ダイオードＣn、
【数５】
0003185324.tif 000021
は、該ｎ個のパルス幅変調器（ＰＷＭ）の異なる作業周期組み合わせの下、第１周期中に、第１発光色度を発生し、
そのうち、該第２発光ダイオードモジュールの該第２発光ダイオードＣ2から第１発光ダイオードＣ1、
【数６】
0003185324.tif 000022
は、該ｎ個のパルス幅変調器（ＰＷＭ）の異なる作業周期組み合わせの下、第１周期中に、第２発光色度を発生し、
そのうち、該第ｎ発光ダイオードモジュールの該第ｎ発光ダイオードＣnから該第ｎ−１発光ダイオードＣn-1
【数７】
0003185324.tif 000023
は、該ｎ個のパルス幅変調器（ＰＷＭ）の異なる作業周期組み合わせの下、第１周期中に、第ｎ発光色度を発生することを特徴とする、色度調整可能な発光ダイオードモジュールランプ。
【請求項９】
請求項８記載の色度調整可能な発光ダイオードモジュールランプにおいて、そのうち、該第１発光ダイオードモジュールの該第１発光ダイオードＣ1から第ｎ発光ダイオードＣn
【数８】
0003185324.tif 000024
は、該ｎ個のコントローラーの異なる作業電流組み合わせの下で、第１周期中に、第１発光強度を発生し、
該第２発光ダイオードモジュールの該第２発光ダイオードＣ2から該第１発光ダイオードＣ1、
【数９】
0003185324.tif 000025
は、該ｎ個のコントローラーの異なる作業電流の組み合わせの下、第１周期中に、第２発光強度を発生し、
該第ｎ発光ダイオードモジュールの該第ｎ発光ダイオードＣnから該第ｎ−１発光ダイオードＣn-1、
【数１０】
0003185324.tif 000026
は、該ｎ個のコントローラーの異なる作業電流組み合わせの下、第１周期中に、第ｎ発光強度を発生することを特徴とする、色度調整可能な発光ダイオードモジュールランプ。
【考案の詳細な説明】
【技術分野】
【０００１】
本考案は一種の発光ダイオードランプに係り、特に、一種の、色度調整可能な発光ダイオードモジュールランプに関する。
【背景技術】
【０００２】
周知の技術によると、発光ダイオードランプは単一モジュールランプ中に、赤色、青色、及び緑色発光ダイオードランプが組み合わされてなる。
【考案の概要】
【考案が解決しようとする課題】
【０００３】
周知技術では、パルス変調器を介してパルス電流が供給され、一種の色度発光ダイオードの単一モジュールランプが構成される。或いは、該単一モジュールランプの並列接続により、複数の発光ダイオードランプが形成されるが、色度変化は単調であるか固定されている。且つ、もし該複数の発光ダイオードランプの色度の多元変化をコントロールする必要があるなら、複雑なパルス変調器が必要となる。
【課題を解決するための手段】
【０００４】
本考案は一種の色度調整可能な発光ダイオードモジュールランプを提供し、それは、少なくとも一組の第２モジュールが重複して直列接続されてなる色度調整可能な発光ダイオードモジュールランプにおいて、該第２モジュールは複数の発光ダイオードモジュールを包含し、それは第１発光ダイオードモジュールから第ｎ発光ダイオードモジュールであり、各該発光ダイオードモジュールは複数の可視光スペクトル色度の発光ダイオードを包含し、循環配列の構造で構成され、該発光ダイオードは第１色度発光ダイオードＣ１、第２色度発光ダイオードＣ２、・・・、第ｎ−１色度発光ダイオードＣn-1、第ｎ色度発光ダイオードＣnを包含し、該第１発光ダイオードモジュールの複数の発光ダイオードの色度配列は、順に、第１色度発光ダイオードＣ１、第２色度発光ダイオードＣ２、・・・、第ｎ−１色度発光ダイオードＣn-1、第ｎ色度発光ダイオードＣnとされ、該第１発光ダイオードモジュールの色度配列は、第１列：
【数１】
0003185324.tif 000003
であり、そのうち、該第２発光ダイオードモジュールの複数の発光ダイオードの色度配列は、順に、第２色度発光ダイオードＣ２、第３色度発光ダイオードＣ３、・・・、第ｎ−１色度発光ダイオードＣn-1、第ｎ色度発光ダイオードＣn、第１色度発光ダイオードＣ１とされ、該第２発光ダイオードモジュールの色度配列は、第２列：
【数２】
0003185324.tif 000004
であり、循環配列の構造は該第ｎ発光ダイオードモジュールに至り、該第ｎ発光ダイオードモジュールの複数の発光ダイオードの色度配列は、順に、第ｎ色度発光ダイオードＣn、第１色度発光ダイオードＣ１、第２色度発光ダイオードＣ２、第３色度発光ダイオードＣ３、・・・、第ｎ−１色度発光ダイオードＣn-1とされ、該第ｎ発光ダイオードモジュールの色度配列は、第ｎ列：
【数３】
0003185324.tif 000005
であり、そのうち、第２モジュールは、順に第１発光ダイオードモジュール、第２発光ダイオードモジュール、第３発光ダイオードモジュール、第ｎ発光ダイオードモジュールまでの組み合わせアレイ（ｎｘｎ）は、
【数４】
0003185324.tif 000006
であり、そのうち、第１行〜第ｎ行はそれぞれ直列に接続され、そのうち各自の総合定格作業電圧は等しく、いずれもＣ1 〜Ｃn  個の色度発光ダイオードの各作業電圧の相加に等しく、電圧供給の直列モードは、各自の行を以て互いに直列接続され、そのうち、第１行中のＣ1 〜Ｃnは、直列接続された一組とされ、第２行中のＣ2 〜Ｃn-1，Ｃn，Ｃ1 は直列接続された一組とされ、第３行中のＣ3 〜Ｃn，Ｃn-1は直列接続された一組とされ、第ｎ行中のＣn，Ｃ1 ，Ｃ2 ，Ｃn-2，Ｃn-1 は直列接続された一組とされる。
【考案の効果】
【０００５】
本考案は一種の、色度調整可能な発光ダイオードモジュールランプを提供し、それは、周知技術の、パルス変調器を介してパルス電流が供給され、一種の色度発光ダイオードの単一モジュールランプが構成される。或いは、該単一モジュールランプの並列接続により、複数の発光ダイオードランプが形成されるが、色度変化は単調であるか固定されており、且つ、もし該複数の発光ダイオードランプの色度の多元変化をコントロールする必要があるなら、複雑なパルス変調器が必要となるという問題を解決する。
【図面の簡単な説明】
【０００６】
【図１】本考案の色度調整可能な発光ダイオードモジュールランプの第１実施例の表示図である。
【図２】本考案のパルス幅変調器（ＰＷＭ）結合の第１実施例の表示図である。
【図３】本考案の第１発光ダイオードモジュールの作業周期組み合わせの第１実施例の第１色度表示図である。
【図４】本考案の第２発光ダイオードモジュールの作業周期組み合わせの第１実施例の第２色度表示図である。
【図５】本考案の第３発光ダイオードモジュールの作業周期組み合わせの第１実施例の第３色度表示図である。
【図６】本考案のコントローラーとパルス幅変調器（ＰＷＭ）の結合の第１実施例の表示図である。
【図７】本考案の第１発光ダイオードモジュールの作業周期及び電流の組み合わせの第１実施例の第１強度表示図である。
【図８】本考案の第２発光ダイオードモジュールの作業周期及び電流の組み合わせの第１実施例の第２強度表示図である。
【図９】本考案の第３発光ダイオードモジュールの作業周期及び電流の組み合わせの第１実施例の第３強度表示図である。
【図１０】本考案の色度調整可能な発光ダイオードモジュールランプの第２実施例表示図である。
【図１１】本考案のパルス幅変調器（ＰＷＭ）結合の第２実施例の表示図である。
【図１２】本考案の第１発光ダイオードモジュールの作業周期組み合わせの第２実施例の第１色度表示図である。
【図１３】本考案の第２発光ダイオードモジュールの作業周期組み合わせの第２実施例の第２色度表示図である。
【図１４】本考案の第３発光ダイオードモジュールの作業周期組み合わせの第２実施例の第３色度表示図である。
【図１５】本考案のコントローラーとパルス幅変調器（ＰＷＭ）の結合の第２実施例の表示図である。
【図１６】本考案の第１発光ダイオードモジュールの作業周期及び電流の組み合わせの第２実施例の第１強度表示図である。
【図１７】本考案の第２発光ダイオードモジュールの作業周期及び電流の組み合わせの第２実施例の第２強度表示図である。
【図１８】本考案の第ｎ発光ダイオードモジュールの作業周期及び電流の組み合わせの第２実施例の第ｎ強度表示図である。
【考案を実施するための形態】
【０００７】
本考案の第１実施例は、図１に示されるようであり、それは、一種の、色度調整可能な発光ダイオードモジュールランプ９であり、それは少なくとも一組の第１モジュール２１が重複して直列接続されて構成される。
そのうち、該第１モジュール２１は、第１発光ダイオードモジュール１１、第２発光ダイオードモジュール１２、第３発光ダイオードモジュール１３を包含する。
そのうち、該第１発光ダイオードモジュール１１は、順に、赤色発光ダイオード４１、緑色発光ダイオード４２、及び青色発光ダイオード４３を具えている。
該第２発光ダイオードモジュール１２は、順に、緑色発光ダイオード４２、青色発光ダイオード４３、及び赤色発光ダイオード４１を具えている。
該第３発光ダイオードモジュール１２は、順に、青色発光ダイオード４３、赤色発光ダイオード４１、緑色発光ダイオード４２を具えている。
そのうち、該第１発光ダイオードモジュール１１の発光ダイオード出力端は、該第２発光ダイオードモジュール１２の発光ダイオード入力端に結合され、該第２発光ダイオードモジュール１２の出力端は、該第３発光ダイオードモジュール１３の入力端に結合され、直列接続構造を形成している。
そのうち、該第１発光ダイオードモジュール１１の該赤色発光ダイオード４１の出力端は、該第２発光ダイオードモジュール１２の該緑色発光ダイオード４２の入力端に結合され、該第２発光ダイオードモジュール１２の該緑色発光ダイオード４２の出力端は、該第３発光ダイオードモジュール１３の該青色発光ダイオード４３の入力端に結合され、並びに直列接続を形成している。
そのうち、該第１発光ダイオードモジュール１１の該緑色発光ダイオード４２の出力端は、該第２発光ダイオードモジュール１２の該青色発光ダイオード４３の入力端に結合され、該第２発光ダイオードモジュール１２の該青色発光ダイオード４３の出力端は、該第３発光ダイオードモジュール１３の該赤色発光ダイオード４１の入力端に結合され、並びに直列接続を形成している。
そのうち、該第１発光ダイオードモジュール１１の該青色発光ダイオード４３の出力端は、該第２発光ダイオードモジュール１２の該赤色発光ダイオード４１の入力端に結合され、該第２発光ダイオードモジュール１２の該赤色発光ダイオード４１の出力端は、該第３発光ダイオードモジュール１３の入力端に結合され、並びに直列接続を形成している。
【０００８】
本考案の第１実施例によると、図１に示されるように、そのうち、少なくとも一組の第１モジュール２１が、開放端とされる第１モジュール２１の入力端を有し、それは第１電圧３１に接合され、そのうち、終端とされる該第１モジュール２１の出力端を有し、それは接地する。
そのうち、該第１発光ダイオードモジュール１１は該第１発光ダイオードモジュール１１に直列接続され、さらに、第３発光ダイオードモジュール１３に直列接続されるとき、供給電力の総電位は同じであり、それは相互に直列接続された該第１発光ダイオードモジュール１１、該第１発光ダイオードモジュール１１、及び該第３発光ダイオードモジュール１３の該緑色発光ダイオード４２、該赤色発光ダイオード４１、及び該青色発光ダイオード４３各自の電位の相加である。
【０００９】
本考案の第１実施例によると、図２に示されるように、そのうちに三つのパルス幅変調器（ＰＷＭ）５１を包含し、各該パルス幅変調器（ＰＷＭ）５１の第２端は接地３２とされ、そのうち、各自のパルス幅変調器（ＰＷＭ）５１の第１端はそれぞれ終端とされる該第１モジュール２１の出力端に接合され、そのうち、終端とされる該第１モジュール２１の出力端は、３組のそれぞれ独立した直列出力端である。そのうち、三つの該パルス幅変調器（ＰＷＭ）５１の作業周期は各自独立し、作業周期の調整範囲は０％〜１００％である。
【００１０】
本考案の第１実施例によると、図６に示されるように、そのうちに三つのコントローラー５２を包含し、それはそれぞれ一端が接地３２とされ、他の一端はもうそれぞれ該パルス幅変調器（ＰＷＭ）５１の第２端に接合され、該コントローラーは一種の定電圧コントローラーとされるか、定電流コントローラーとされるか、或いは定電圧且つ定電流コントローラーとされる。そのうち三つの該コントローラー５２のコントロール電流は、各自独立して調整される。
【００１１】
本考案の第１実施例によると、そのうち、該第１発光ダイオードモジュール１１の該赤色発光ダイオード４１、該緑色発光ダイオード４２、及び該青色発光ダイオード４３は、該三つのパルス幅変調器（ＰＷＭ）５１の異なる作業周期の組み合わせの下、第１周期Ｔ１中で、第１発光色度を発生し、図３のとおりである。
そのうち、該第２発光ダイオードモジュール１２の該赤色発光ダイオード４１、該緑色発光ダイオード４２、及び該青色発光ダイオード４３は、該三つのパルス幅変調器（ＰＷＭ）５１の異なる作業周期の組み合わせの下、第１周期Ｔ１中で、第２発光色度を発生し、図４のとおりである。
そのうち、該第３発光ダイオードモジュール１３の該赤色発光ダイオード４１、該緑色発光ダイオード４２、及び該青色発光ダイオード４３は、該三つのパルス幅変調器（ＰＷＭ）５１の異なる作業周期の組み合わせの下、第１周期Ｔ１中で、第３発光色度を発生し、図５のとおりである。
【００１２】
本考案の第１実施例によると、そのうち、該第１発光ダイオードモジュール１１の該赤色発光ダイオード４１、該緑色発光ダイオード４２、及び該青色発光ダイオード４３は、該三つのコントローラー５２の異なる作業電流の組み合わせの下、第１周期Ｔ１中で、第１発光強度を発生し、図７のとおりである。
そのうち、該第２発光ダイオードモジュール１２の該赤色発光ダイオード４１、該緑色発光ダイオード４２、及び該青色発光ダイオード４３は、該三つのコントローラー５２の異なる作業電流の組み合わせの下、第１周期Ｔ１中で、第２発光強度を発生し、図８のとおりである。
そのうち、該第３発光ダイオードモジュール１３の該赤色発光ダイオード４１、該緑色発光ダイオード４２、及び該青色発光ダイオード４３は、該三つのコントローラー５２の異なる作業電流の組み合わせの下、第１周期Ｔ１中で、第３発光強度を発生し、図９のとおりである。
そのうち、第２周期Ｔ２は第１周期Ｔ１の重複であり、本考案は複数の周期で色度制御の周期変化を構成し、該三つのパルス幅変調器（ＰＷＭ）５１は、複数の周期の作業周期を制御して、多元色度自動変化の色度調整可能な発光ダイオードモジュールランプ９を形成する。
【００１３】
本考案の第２実施例によると、図１０に示されるように、該色度調整可能な発光ダイオードモジュールランプ９は、複数の、可視光スペクトル色度の発光ダイオードが、循環配列された構造で構成され、それは、少なくとも一組の第２モジュール２２が重複して直列接続されて構成される。
該少なくとも一組の第２モジュール２２は、複数の発光ダイオードモジュールを包含し、それは、第１発光ダイオードモジュール１１から第ｎ発光ダイオードモジュール１９を包含する。
そのうち、各発光ダイオードモジュールは、複数の、可視光スペクトル色度の発光ダイオードが循環配列された構造で構成され、該発光ダイオードは、第１色度発光ダイオードＣ1 、第２色度発光ダイオードＣ2  、・・・、第ｎ−１色度発光ダイオードＣn-1、第ｎ色度発光ダイオードＣnを包含する。
上述の第１実施例の具体構造の特徴が応用され、本考案はさらに第２実施例において、複数の可視光スペクトル色度の発光ダイオードが循環配列されてなる構造とされ、第１発光ダイオードモジュール１１、第２発光ダイオードモジュール１２、及び第３発光ダイオードモジュール１３は、該赤色発光ダイオード４１、該緑色発光ダイオード４２、及び該青色発光ダイオード４３等の三原色に限定されない。
【００１４】
第１発光ダイオードモジュール１１の複数の発光ダイオードの色度配列は、順に、第１色度発光ダイオードＣ1、第２色度発光ダイオードＣ2、・・・・・・、第ｎ−１色度発光ダイオードＣn-1、第ｎ色度発光ダイオードＣnとされ、これにより、第１発光ダイオードモジュール１１の色度配列は、簡易化されて、第１列：
【数５】
0003185324.tif 000007
とされる。
そのうち、Ｃ1は第１色度発光ダイオード、Ｃ2は第２色度発光ダイオード、Ｃ3は第３色度発光ダイオード、・・・・・・、Ｃn-1は第ｎ−１色度発光ダイオード、Ｃnは第ｎ色度発光ダイオードを表示する。
第２発光ダイオードモジュール１２の複数の発光ダイオードの色度配列は、順に、第２色度発光ダイオードＣ2、第３色度発光ダイオードＣ3、・・・・・・、第ｎ−１色度発光ダイオードＣn-1、第ｎ色度発光ダイオードＣn、第１色度発光ダイオードＣ1とされ、これにより、第２発光ダイオードモジュール１２の色度配列は、簡易化されて、第２列：
【数６】
0003185324.tif 000008
とされる。
そのうち、Ｃ2は第２色度発光ダイオード、Ｃ3は第３色度発光ダイオード、・・・・・・、Ｃn-1は第ｎ−１色度発光ダイオード、Ｃnは第ｎ色度発光ダイオード、Ｃ1は第１色度発光ダイオード、を表示する。
【００１５】
本考案は第ｎ発光ダイオードモジュール１９の複数の発光ダイオードの色度配列が順に、第ｎ色度発光ダイオードＣn、第１色度発光ダイオードＣ1、第２色度発光ダイオードＣ2、第３色度発光ダイオードＣ3、・・・・・・、第ｎ−１色度発光ダイオードＣn-1とされ、これにより、第ｎ発光ダイオードモジュール１９の色度配列は、簡易化されて、第ｎ列：
【数７】
0003185324.tif 000009
とされ、そのうち、Ｃnは第ｎ色度発光ダイオードを表示し、Ｃ1は第１色度発光ダイオードを表示し、Ｃ3は第３色度発光ダイオードを表示し、・・・・・・、Ｃn-1は第ｎ−１色度発光ダイオード を表示する。
【００１６】
本考案中、色度調整可能な発光ダイオードモジュールランプ９の色度発光ダイオードの配列構造は、第１発光ダイオードモジュール１１、第２発光ダイオードモジュール１２、第３発光ダイオードモジュール１３、第４発光ダイオードモジュール１４、・・・・・・、第ｎ−１発光ダイオードモジュール１８、第ｎ発光ダイオードモジュール１９の組み合わせアレイ（ｎｘｎ）が以下に述べるとおりである。
【数８】
0003185324.tif 000010
それは、色度調整可能な発光ダイオードモジュールランプ９の第２モジュール２２であり、そのうち、組み合わせアレイは、順に、第１列が第１発光ダイオードモジュール１１を表し、第２列が第２発光ダイオードモジュール１２を表し、第３列が第３発光ダイオードモジュール１３を表し、・・・・・・、第ｎ−１列が第ｎ−１発光ダイオードモジュール１８を表し、第ｎ列が第ｎ発光ダイオードモジュール１９を表す。ただし、電圧供給の直列接続モードは、各自の行が互いに直列接続され、並びに先頭の色度発光ダイオードが供給電圧に接続され、末端に配列された色度発光ダイオードは接地する。そのうち、第１行中のＣ1〜Ｃnは順に直列接続された一組とされ、第２行中のＣ2〜Ｃn-1，Ｃn，Ｃ1は順に直列に接続された一組とされ、第３行中のＣ3〜Ｃn，Ｃn-1は順に直列に接続された一組とされ、・・・・・・、第ｎ行中のＣn，Ｃ1 ，Ｃ2 〜Ｃn-2,Ｃn-1は順に直列に接続された一組とされる。そのうち、少なくとも一組の第２モジュール２２は、一つの、開放端とされる該第２モジュール２２の入力端を有し、それは、第１電圧３１に接合され、該第２モジュール２２は、終端とされる出力端を有し、それは接地３２とされる。
【００１７】
本考案の第２実施例によると、第１色度発光ダイオードＣ1〜第ｎ色度発光ダイオードＣnは、それぞれその定格の作業電圧を有するが、本考案の循環配列の構造により、第１行〜第ｎ行がそれぞれ直列接続され、そのうち、各自の総合定格作業電圧は互いに等しく、いずれもＣ1 〜Ｃn個の色度発光ダイオードの各作業電圧の相加に等しく、この構造特徴により、建築景観或いは広告造形上に応用されて、余分の回路設計を用いずに、迅速に複数の第２モジュール２２を相互に直列接続でき、直列接続後に、各独立列の総電圧は等しく、等しくないために余分に回路を設計しなくてはならなくなる問題を減らせる。
【００１８】
本考案の第２実施例によると、図１１に示されるように、ｎ個のパルス幅変調器（ＰＷＭ）５１を包含し、各パルス幅変調器（ＰＷＭ）５１の第２端は接地し、そのうち、各該パルス幅変調器（ＰＷＭ）５１の第１端は、それぞれ終端とされる該第２モジュール２２の出力端に接合され、そのうち、終端とされる該第２モジュール２２の出力端は、ｎ組のそれぞれ独立した直列出力端である。そのうち、ｎ個の該パルス幅変調器（ＰＷＭ）５１の作業周期はそれぞれ独立し、作業周期の調整範囲は０〜１００％である。
【００１９】
本考案の第２実施例は、図１５に示されるように、ｎ個のコントローラー５２を包含し、それは、それぞれ接地し、他の一端はそれぞれ該パルス幅変調器（ＰＷＭ）５１の第２端に接合される。そのうち、該コントローラーは定電圧コントローラーとされるか、定電流コントローラーとされるか、定電圧且つ定電流のコントローラーとされる。そのうち、ｎ個のコントローラー５２のコントロール電流は、各自独立して調整される。
【００２０】
そのうち、図１２に示されるように、該第１発光ダイオードモジュール１１の該第１色度発光ダイオードＣ1〜該第ｎ色度発光ダイオードＣn、
【数９】
0003185324.tif 000011
は、該第ｎ個のパルス幅変調器（ＰＷＭ）５１の異なる作業周期の組み合わせの下、第１周期Ｔ１中に、第１発光色度を発生する。
そのうち、図１３に示されるように、該第２発光ダイオードモジュール１２の該第２色度発光ダイオードＣ2〜該第ｎ色度発光度発光ダイオードＣ1〜該第ｎ色度発光ダイオードＣn、
【数１０】
0003185324.tif 000012
は、該第ｎ個のパルス幅変調器（ＰＷＭ）５１の異なる作業周期の組み合わせの下、第１周期Ｔ１中に、第２発光色度を発生する。以上と同じ構造の下、図１４に示されるように、該第ｎ発光ダイオードモジュール１９の該第ｎ色度発光ダイオードＣnから該第ｎ−１色度発光ダイオードＣn-1
【数１１】
0003185324.tif 000013
は、該ｎ個のパルス幅変調器（ＰＷＭ）５１の異なる作業周期の組み合わせの下、第２周期Ｔ１中に、第ｎ発光色度を発生する。
【００２１】
これにより、本考案の第２実施例によると、複数の発光ダイオードモジュール中の各発光ダイオードは、該ｎ個のパルス幅変調器（ＰＷＭ）５１の異なる作業周期の組み合わせの下、第１周期Ｔ１中に、それぞれ複数組の発光色度を発生する。
【００２２】
そのうち、図１６に示されるように、該第１発光ダイオードモジュール１１の該第１色度発光ダイオードＣ1から該第ｎ色度発光ダイオードＣn
【数１２】
0003185324.tif 000014
は、該ｎ個のコントローラー５２の異なる作業電流の組み合わせの下、第１周期Ｔ１中に、第１発光強度を発生する。
そのうち、図１７に示されるように、該２発光ダイオードモジュール１２の該第２色度発光ダイオードＣ2〜第１色度発光ダイオードＣ1
【数１３】
0003185324.tif 000015
は、該ｎ個のコントローラー５２の異なる作業電流の組み合わせの下で、第１周期Ｔ１で第２発光強度を発生する。
上述と同じ構造の下、そのうち、図１８に示されるように、該第ｎ発光ダイオードモジュール１９の該第ｎ色度発光ダイオードＣn〜該第ｎ−１色度発光ダイオードＣn-1
【数１４】
0003185324.tif 000016
は、該ｎ個のコントローラー５２の異なる作業電流の組み合わせの下、第１周期Ｔ１中に、第ｎ発光強度を発生する。
【００２３】
これにより、本考案の第２実施例によると、複数の発光ダイオードモジュール中の各発光ダイオードは、該ｎ個のコントローラー５２の異なる作業電流の組み合わせの下、第１周期Ｔ１中に、それぞれ複数組の発光強度を発生する。
【００２４】
第１周期Ｔ１と第２周期Ｔ２は、操作の連続周期である。
【００２５】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２６】
９  色度調整可能な発光ダイオードモジュールランプ
１１  第１発光ダイオードモジュール
１２  第２発光ダイオードモジュール
１３  第３発光ダイオードモジュール
１４  第４発光ダイオードモジュール
１８  第ｎ−１発光ダイオードモジュール
１９  第ｎ発光ダイオードモジュール
２１  第１モジュール
２２  第２モジュール
３１  第１電圧
３２  接地
４１  赤色発光ダイオード
４２  緑色発光ダイオード
４３  青色発光ダイオード
Ｃ１  第１色度発光ダイオード
Ｃ２  第２色度発光ダイオード
Ｃ３  第３色度発光ダイオード
Ｃn-1 第ｎ−１色度発光ダイオード
Ｃn  第ｎ色度発光ダイオード
５１  パルス幅変調器（ＰＷＭ）
５２  コントローラー
Ｔ１  第１周期
Ｔ２  第２周期
【図１】
0003185324.tif 000027
【図２】
0003185324.tif 000028
【図３】
0003185324.tif 000029
【図４】
0003185324.tif 000030
【図５】
0003185324.tif 000031
【図６】
0003185324.tif 000032
【図７】
0003185324.tif 000033
【図８】
0003185324.tif 000034
【図９】
0003185324.tif 000035
【図１０】
0003185324.tif 000036
【図１１】
0003185324.tif 000037
【図１２】
0003185324.tif 000038
【図１３】
0003185324.tif 000039
【図１４】
0003185324.tif 000040
【図１５】
0003185324.tif 000041
【図１６】
0003185324.tif 000042
【図１７】
0003185324.tif 000043
【図１８】
0003185324.tif 000044